(57)【特許請求の範囲】
【請求項１】
複数の画像の一部を互いに重畳させてスクリーンに投影し、１つの大画像を表示するディスプレイ装置において、
各画像に対応する各画像信号のうちの、隣接する画像との重畳部分の明るさを電気的に微調整する電気的調整手段と、
前記電気的調整手段により微調整された複数の画像信号に対応する画像を投影する複数の投影器と、
前記投影器と前記スクリーンとの間に設けられ、隣接する画像との前記重畳部分の明るさを所定の滑らかな分布で光学的に減衰させて前記重畳部分の明るさを平滑する光学的調整手段とを備え、
前記光学的調整手段は、所定の滑らかな分布の透過率で染料を表面に印刷した、または内部に分散したレンズである
ことを特徴とするディスプレイ装置。
【請求項２】
複数の画像の一部を互いに重畳させてスクリーンに投影し、１つの大画像を表示するディスプレイ装置において、
各画像に対応する各画像信号のうちの、隣接する画像との重畳部分の明るさを電気的に微調整する電気的調整手段と、
前記電気的調整手段により微調整された複数の画像信号に対応する画像を投影する複数の投影器と、
前記投影器と前記スクリーンとの間に設けられ、隣接する画像との前記重畳部分の明るさを所定の滑らかな分布で光学的に減衰させて前記重畳部分の明るさを平滑する光学的調整手段とを備え、
前記光学的調整手段は、第１の分布の透過率で染料を表面に印刷した、または内部に分散したレンズと、第２の分布の透過率を有するテープとを有し、前記第１の分布および第２の分布に基づいて所定の滑らかな分布の透過率を有する
ことを特徴とするディスプレイ装置。
【請求項３】
光学的調整手段としてのテープは、透過率の分布の異なる複数の部分を有する
ことを特徴とする請求項１記載のディスプレイ装置。
【請求項４】
光学的調整手段としてのテープを巻回可能であって、前記テープにおける透過率の分布の異なる複数の部分のうちのいずれかを光路上に配置可能なリールを備える
ことを特徴とする請求項３記載のディスプレイ装置。
【請求項５】
複数の画像の一部を互いに重畳させてスクリーンに投影し、１つの大画像を表示するディスプレイ装置において、
各画像に対応する各画像信号のうちの、隣接する画像との重畳部分の明るさを電気的に微調整する電気的調整手段と、
前記電気的調整手段により微調整された複数の画像信号に対応する画像を投影する複数の投影器と、
前記投影器と前記スクリーンとの間に設けられ、隣接する画像との前記重畳部分の明るさを所定の滑らかな分布で光学的に減衰させて前記重畳部分の明るさを平滑する光学的調整手段と、
前記光学的調整手段は、所定の滑らかな分布の透過率を有するテープであり、透過率の分布の異なる複数の部分を有し、テープを巻回可能であって、前記テープにおける透過率の分布の異なる複数の部分のうちのいずれかを光路上に配置可能なリールを備える
ことを特徴とするディスプレイ装置。
【請求項６】
光学的調整手段としてのテープは、光路上の他の光学素子の表面に貼り付けられる
ことを特徴とする請求項１記載のディスプレイ装置。
【請求項７】
光学的調整手段は、光路上において可動である
ことを特徴とする請求項１から請求項６のうちのいずれか１項記載のディスプレイ装置。
【発明の詳細な説明】
【０００１】
【発明の属する技術分野】
この発明は、複数の画像の一部を互いに重畳させてスクリーンに投影し、１つの大画像を表示するディスプレイ装置および画像投影方法に関するものである。
【０００２】
【従来の技術】
図８は例えば特開平５−３００４５２号公報に記載の従来のディスプレイ装置を示すブロック図である。図において、１０１Ａ，１０１Ｂ，１０１Ｃは大画像を構成する複数の画像の信号を発生する複数の画像信号発生器であり、１０２は各画像に対応する各画像信号のうちの、隣接する画像との重畳部分の明るさを電気的に調節して重畳部分の明るさを平滑する平滑装置であり、１０３Ａ，１０３Ｂ，１０３Ｃは複数の画像信号に対応する複数の画像の一部を互いに重畳させてそれらの複数の画像を１つの大画像としてスクリーン１０４に投影する複数の投影器である。
【０００３】
次に動作について説明する。
図９は重畳部分の明るさの目標分布と平滑装置１０２による電気的補正分布との関係を示す図であり、図１０は隣接する２つの画像が１画素ずれて重畳した場合の大画像の明るさの分布を示す図であり、図１１は隣接する２つの画像が０．５画素ずれて重畳した場合の大画像の明るさの分布を示す図である。
【０００４】
各投影器１０３Ａ，１０３Ｂ，１０３Ｃから投影される画像は、その一部が重畳されて１つの大画像としてスクリーン１０４に重畳される。
【０００５】
そこで、２つの画像の重畳部分に生ずる輝帯または継目を除去するために、平滑装置１０２により、各画像におけるその重畳部分の明るさがそれぞれ減衰され、各画像の画像端に近づくほど明るさが低くなるように調整される。この平滑装置１０２としては、例えば画像に特殊効果を与える画像編集用の特殊効果発生器が使用される。
【０００６】
均等な特性を有する複数の特殊効果発生器による処理を、複数の画像の重畳部分に適用すると、その重畳部分の明るさが各画像の非重畳部分の明るさに近づき、理論的には、その重畳部分の明るさを各画像の非重畳部分の明るさと同一にすることが可能である。
【０００７】
しかしながら、平滑装置１０２により処理された各画像信号を投影器１０３Ａ，１０３Ｂ，１０３Ｃにより投影する際、図９に示すように、投影器１０３Ａ，１０３Ｂ，１０３Ｃの画素の幅（画素開口）毎に明るさが調整されるため、重畳部分の明るさの分布は、目標分布に対比して、実際には、階段状の分布になる。
【０００８】
このように各画像の重畳部分の明るさの分布が階段状の分布になるため、重畳部分の画素数（図９では１６）が少ないと、大画像における重畳部分の明るさ（すなわち隣接する画像の明るさの和）の分布が階段状になり目立つ。また、この場合において、例えば図１１に示すように、重畳部分に０．５画素分のずれが生ずると、大画像における重畳部分の明るさがくし型の分布になり目立つ。
【０００９】
なお、同様の従来のディスプレイ装置が特開昭６２−１９５９８４号公報、特開平３−８５８７９号公報、特開平４−２６９７９３号公報などに記載されている。
【００１０】
次に、図１２は例えば特開平５−１０３２８６号公報に記載の他の従来のディスプレイ装置を示す図である。図において、２０１Ａ，２０１Ｂは複数の画像信号に対応する複数の画像の一部を互いに重畳させてそれらの複数の画像を１つの大画像としてスクリーン２０２に投影する複数の投影器であり、２０３は投影器２０１Ａ，２０１Ｂとスクリーン２０２との間に設けられ、重畳部分の光量を低減させる遮光板である。
【００１１】
次に動作について説明する。
図１３は隣接する２つの画像が１画素ずれて重畳した場合の大画像の明るさの分布を示す図である。
【００１２】
各投影器２０１Ａ，２０１Ｂからそれぞれ投射される光束２１５Ａ，２１５Ｂの一部が遮光板２０３で遮られ、遮光板２０３の影２１６Ａ，２１６Ｂにあたる部分では光量が低下し、隣接する２つの画像の重畳部分の光量がそれぞれ低下して、大画像の光量分布が均一に近づく。
【００１３】
しかしながら、このように、遮光板２０３を使用して重畳部分の光量を調節すると、大画像における重畳部分の光量の分布を所望の分布に設定しにくく、例えば図１３に示すように、隣接する２つの画像が１画素ずれて重畳した場合（本来１６画素の重畳部分が１７画素になっている場合）には、重畳部分の端部に光量のピークが生じたりする。
【００１４】
【発明が解決しようとする課題】
従来のディスプレイ装置は以上のように構成されているので、画像信号に対する電気的な補正で重畳部分の明るさの分布を目標分布に近づける場合、重畳部分の画素数が少ないと、重畳部分の明るさの分布が階段状の分布になり、重畳部分が目立ち易いなどの課題があった。
【００１５】
また、遮光板で重畳部分の明るさの分布を目標分布に近づける場合、目標分布に対して良好な精度の分布を得ることが困難であり、重畳部分が目立ち易いなどの課題があった。
【００１６】
この発明は上記のような課題を解決するためになされたもので、隣接する画像との重畳部分の明るさを所定の滑らかな分布で光学的に減衰させて重畳部分の明るさを平滑するとともに、各画像に対応する各画像信号のうちの、隣接する画像との重畳部分の明るさを電気的に微調整するようにして、重畳部分の明るさの分布を正確に目標分布に合わせることができるディスプレイ装置および画像投影方法を得ることを目的とする。
【００１７】
【課題を解決するための手段】
この発明に係るディスプレイ装置は、各画像に対応する各画像信号のうちの、隣接する画像との重畳部分の明るさを電気的に微調整する電気的調整手段と、電気的調整手段により微調整された複数の画像信号に対応する画像を投影する複数の投影器と、投影器とスクリーンとの間に設けられ、隣接する画像との重畳部分の明るさを所定の滑らかな分布で光学的に減衰させて重畳部分の明るさを平滑する光学的調整手段とを備えるものである。
【００２１】
この発明に係るディスプレイ装置は、光学的調整手段として、所定の滑らかな分布の透過率を有するテープを使用したものである。
【００２２】
この発明に係るディスプレイ装置は、光学的調整手段として、所定の滑らかな分布の透過率で染料を表面に印刷した、または内部に分散したレンズを使用したものである。
【００２３】
この発明に係るディスプレイ装置は、光学的調整手段として、第１の分布の透過率で染料を表面に印刷した、または内部に分散したレンズと、第２の分布の透過率を有するテープとを使用して、光学的調整手段における透過率の分布を第１の分布および第２の分布に基づいて所定の滑らかな分布とするものである。
【００２４】
この発明に係るディスプレイ装置は、光学的調整手段としてのテープが透過率の分布の異なる複数の部分を有するものである。
【００２５】
この発明に係るディスプレイ装置は、光学的調整手段としてのテープを巻回可能であって、テープにおける透過率の分布の異なる複数の部分のうちのいずれかを光路上に配置可能なリールを備えるものである。
【００２６】
この発明に係るディスプレイ装置は、光学的調整手段としてのテープが光路上の他の光学素子の表面に貼り付けられるようにしたものである。
【００２７】
この発明に係るディスプレイ装置は、光学的調整手段を光路上において可動としたものである。
【００２８】
この発明に係るディスプレイ装置は、光学的調整手段における所定の滑らかな分布を、スクリーンに投影された大画像の各部の明るさが均一にするための各画像についての目標分布を所定の距離だけ画像端の方向にずらした分布としたものである。
【００３２】
【発明の実施の形態】
以下、この発明の実施の一形態を説明する。
実施の形態１．
図１はこの発明の実施の形態１によるディスプレイ装置の構成を示すブロック図である。図において、１Ａ，１Ｂは大画像を構成する複数の画像の信号を発生する複数の画像信号発生器であり、２は各画像に対応する各画像信号のうちの、隣接する画像との重畳部分の明るさを電気的に微調整する平滑装置（電気的調整手段）であり、３Ａ，３Ｂは平滑装置２により微調整された複数の画像信号に対応する画像を投影する複数の投影器である。
【００３３】
４Ａ，４Ｂは投影器３Ａ，３Ｂとスクリーン５との間に設けられ、投影器３Ａ，３Ｂからの画像の光束を平行光に近づけるとともに、表面（入射側および出射側の少なくとも一方の面）に染料を印刷して隣接する画像との重畳部分の明るさを所定の第１の分布で光学的に減衰させて重畳部分の明るさを平滑するフレネルレンズ（光学的調整手段）であり、５は１枚または見かけ上１枚のスクリーンであり、６Ａ，６Ｂは投影器３Ａ，３Ｂとスクリーン５との間に設けられ、隣接する画像との重畳部分の明るさを所定の第２の分布で光学的に減衰させて重畳部分の明るさを平滑するテープ（光学的調整手段）である。なお、フレネルレンズ４Ａ，４Ｂの表面に染料を印刷する代わりに、フレネルレンズ４Ａ，４Ｂの内部に染料などを分散するようにしてもよい。
【００３４】
なお、フレネルレンズ４Ａおよびテープ６Ａ、並びにフレネルレンズ４Ｂおよびテープ６Ｂにより、各画像７Ａ，７Ｂの重畳部分の明るさが目標分布としての所定の滑らかな分布で光学的に減衰される。すなわち、第１の分布と第２の分布の積が目標分布となる。したがって第１の分布と第２の分布は両者の積が目標分布になるように任意に選択可能である。また、フレネルレンズ４Ａ，４Ｂに染料を印刷せずにテープ６Ａ，６Ｂの透過率の分布を目標分布としてもよい。また、フレネルレンズ４Ａ，４Ｂに目標分布で染料を印刷し、テープ６Ａ，６Ｂを設けないようにしてもよい。
【００３５】
図２は図１におけるテープ６Ａの詳細な構成を示す斜視図である。
１１Ａ，１１Ｂは、テープ６Ａを構成する透過率の分布の異なる複数の部分であり、１２はテープ６Ａを巻回可能であって、テープ６Ａにおける透過率の分布の異なる複数の部分のうちのいずれかを光路上に配置可能なリールである。なお、部分１１Ａは所定の第２の分布の透過率を有するものであり、部分１１Ｂは所定の透明な一定の透過率を有するものである。なお、この部分は３以上でもよく、３以上の透過率の分布を設定可能にしてもよい。
【００３６】
なお、テープ６Ｂはテープ６Ａと同様に構成されるが、テープ６Ｂの透過率の分布はテープ６Ａの透過率の分布を反転したものになる。
【００３７】
また、テープ６Ａ，６Ｂは、図２に示すようにリール１２などの支持部材を使用して固定するようにしてもよいし、フレネルレンズ４Ａ，４Ｂなどの光路上の他の光学素子の表面に貼り付けるようにしてもよい。さらに、テープ６Ａ，６Ｂは、薄いほど光路の変動が減少するので、薄いほどよい。
【００３８】
次に動作について説明する。
図３は実施の形態１によるディスプレイ装置での、重畳部分における２つの画像７Ａ，７Ｂおよび大画像８の明るさの分布の一例を示す図であり、図４は図３に示す重畳部分における大画像８の明るさの分布の１次微分値（１／１０画素間隔の１次差分値）および２次微分値（１／１０画素間隔の２次差分値）の分布を示す図である。
【００３９】
画像信号発生器１Ａ，１Ｂは画像データなどから、大画像を構成する複数の画像の信号を発生し、平滑装置２に供給する。平滑装置２は各画像に対応する各画像信号のうちの、隣接する画像との重畳部分の明るさを電気的に微調整し、調整後の画像信号を投影器３Ａ，３Ｂに供給する。このとき平滑装置２では、フレネルレンズ４Ａ，４Ｂ、テープ６Ａ，６Ｂなどの光学的調整手段による重畳部分の明るさの分布の調整が補完され、大画像８における重畳部分の明るさの分布がより均一かつ滑らかになるように微調整される。
【００４０】
投影器３Ａ，３Ｂは平滑装置２により微調整された画像信号に対応する画像の光束を出射する。投影器３Ａから出射された光束は、フレネルレンズ４Ａにより平行光に近づけられ、テープ６Ａを介してスクリーン５に到達し、画像７Ａとなる。同様に、投影器３Ｂから出射された光束は、フレネルレンズ４Ｂにより平行光に近づけられ、テープ６Ｂを介してスクリーン５に到達し、画像７Ｂとなる。
【００４１】
このとき、投影器３Ａから出射された光束のうちの重畳部分の光量は、まず、フレネルレンズ４Ａに所定の第１の分布で印刷された染料によりその第１の分布で光学的に減衰され、さらにテープ６Ａにより所定の第２の分布で光学的に減衰され、総合的に、所定の滑らかな分布で光学的に減衰される。このときの所定の滑らかな分布は、重畳部分において、所定の次数までの微分値がそれぞれ所定の範囲内である分布とする。今の場合、所定の滑らかな分布は、１画素の幅を長さ１としたときの画面端からの距離ｘにおける透過率をｙとし、重畳部分の画素数をｎとしたとき、次式で表わされる分布とする。なお、投影器３Ｂから出射された光束についても同様である。ただし、所定の滑らかな分布は反転したものとなる。
0003706001.tif 000002
【００４２】
ｎ＝１６の場合、この式に基づく分布で減衰された重畳部分における各画像７Ａ，７Ｂの明るさおよび大画像８の明るさは図３に示すようになる。また、この大画像８における重畳部分の明るさの１次微分値および２次微分値は図４に示すようになり、１次微分値の絶対値が０．５以下になり、２次微分値の絶対値が約０．３５以下になる。
【００４３】
次に、テープ６Ａ，６Ｂの配置について説明する。
テープ６Ａ，６Ｂは、濃淡の方向が画像７Ａ，７Ｂの配列方向に合わせられ、リール１２により引き張りした状態で配置される。また、大画像８を表示する際には所定の第２の分布の透過率を有する部分１１Ａが光路上に配置され、個々の画像の明るさの調整を実行する場合には、透明な部分１１Ｂが光路上に配置される。
【００４４】
そして、画像７Ａ，７Ｂの配列方向におけるテープ６Ａ，６Ｂの位置調整は、リール１２およびテープ６Ａ，６Ｂ全体を図示せぬ機構により移動させることにより実行され、それに対して垂直な方向におけるテープ６Ａ，６Ｂの位置調整は、リール１２の巻回の度合いで実行される。また、テープ６Ａ，６Ｂが固定されるリール１２の軸を可動とし、テープ６Ａ，６Ｂを画像７Ａ，７Ｂの配列方向に移動させるようにしてもよい。
【００４５】
なお、テープ６Ａ，６Ｂの透過率の第２の分布をテープ６Ａ，６Ｂの長手方向に形成するようにしてもよく、その場合には、画像７Ａ，７Ｂの配列方向におけるテープ６Ａ，６Ｂの位置調整はリール１２の巻回の度合いで実行され、それに対して垂直な方向におけるテープ６Ａ，６Ｂの位置調整は、リール１２およびテープ６Ａ，６Ｂ全体を図示せぬ機構により移動させることにより実行される。
【００４６】
以上のように、この実施の形態１によれば、各画像に対応する各画像信号のうちの、隣接する画像との重畳部分の明るさを電気的に微調整し、微調整した複数の画像信号に対応する画像を投影し、隣接する画像との重畳部分の明るさを所定の滑らかな分布で光学的に減衰させて重畳部分の明るさを平滑するようにしたので、重畳部分の明るさの分布を正確に目標分布に合わせることができるという効果が得られる。
【００４７】
また、この実施の形態１によれば、例えば式（１）に基づき、所定の滑らかな分布を、重畳部分において所定の次数まで（今の場合、２次まで）の微分値がそれぞれ所定の範囲内である分布としたので、重畳部分における明るさの分布を確実に滑らかにすることができるという効果が得られる。特に、式（１）のように２の平方根の平方根の累乗に基づいて分布を選択することにより、２次微分値を低くすることができる。すなわち、各微分値の絶対値が小さくなると連続性が高くなるとともに滑らかな輝度変化となるので、輝度段差が認識されにくくなる。
【００４８】
さらに、この実施の形態１によれば、光学的調整手段として所定の滑らかな分布の透過率を有するテープ６Ａ，６Ｂを使用したので、配置を簡単に調整することができるとともに、スクリーン５のサイズや位置などの変更に応じて透過率の分布を変更したい場合にテープ６Ａ，６Ｂを交換すればよく、簡単に装置の設定変更を実行することができるという効果が得られる。また、同一のテープを複数作成して裏返してテープ６Ａとテープ６Ｂとのいずれかとして使用することで、透過率分布が互いに反転した関係にあるテープ６Ａ，６Ｂを精度良く簡単に作成することができるとともに、量産にも向くという効果が得られる。
【００４９】
さらに、この実施の形態１によれば、光学的調整手段として所定の滑らかな分布の透過率で染料を表面に印刷した、または内部に分散したフレネルレンズ４Ａ，４Ｂを使用したので、従来の製造技術に基づいて簡単かつ安価で所望の透過率分布の光学的調整手段を実現することができるという効果が得られる。
【００５０】
さらに、この実施の形態１によれば、テープ６Ａ，６Ｂに透過率の分布の異なる複数の部分を設けたので、透明な部分を設ければ個々の画像の明るさの調整を簡単に実行することができ、異なる滑らかな分布の部分を設ければ、スクリーン５のサイズや位置などの変更に応じて透過率の分布を簡単に変更することができるという効果が得られる。
【００５１】
さらに、この実施の形態１によれば、テープ６Ａ，６Ｂを光路上において可動な状態で配置しているので、透過率分布と重畳部分との位置関係を簡単に調整することができるという効果が得られる。
【００５２】
なお、光学的調整手段として、染料を印刷したフレネルレンズ４Ａ，４Ｂやテープ６Ａ，６Ｂといった減光手段を使用したが、光学的インテンシファイヤなどの増光手段を使用してもよく、また、ライトバルブではなくて透明基板への印刷または色素の分散で減光してもよく、同等の効果が得られる。さらに、平滑装置２での処理はハードウェア処理として実現してもよく、ソフトウェア処理として実現してもよい。
【００５３】
実施の形態２．
この発明の実施の形態２によるディスプレイ装置は、テープ６Ａ，６Ｂなどの光学的調整手段における透過率の分布を目標分布から所定の距離（実施の形態２では０．５画素程度）だけ画像端の方向にずらした分布としたものである。なお、このようにするには、例えば実施の形態１におけるテープ６Ａ，６Ｂをその所定の距離だけ移動させればよい。なお、その他の構成要素については実施の形態１によるものと同様であるので、その説明を省略する。
【００５４】
次に動作について説明する。
図５は画素の出力分布、平滑装置２による電気的調整分布、光学系調整手段による光学的調整分布および目標分布の関係を示す図である。図６は実施の形態２によるディスプレイ装置での、重畳部分における２つの画像および大画像の明るさの分布の一例を示す図である。
【００５５】
この実施の形態２においては、例えば図５に示すように、フレネルレンズ４Ａ，４Ｂやテープ６Ａ，６Ｂなどの光学的調整手段による透過率の分布を目標分布から画面端に０．５画素程度ずらした分布となっているので、各画像７Ａ，７Ｂにつき０．５画素ずつずれるため本来１６画素の重畳部分が１７画素になり、スクリーン５に投影される重複部分の画像の明るさの分布は、図６に示すようになる。
【００５６】
そして、光学的調整手段による透過率の分布と目標分布との差異に起因する明るさのずれは平滑装置２による電気的調整で低減され、スクリーン５に投影される画像は均一に近づく。
【００５７】
なお、その他の動作については実施の形態１によるものと同様であるので、その説明を省略する。
【００５８】
以上のように、この実施の形態２によれば、テープ６Ａ，６Ｂなどの光学的調整手段における透過率の所定の滑らかな分布を、目標分布を所定の距離だけ画面端にずらした分布としたので、重畳部分の明るさの分布を平滑しつつ、平滑装置２での電気的な微調整による重畳部分の明るさの分布の調整が容易になり、光学的調整手段の誤差の余裕度が高くなるという効果が得られる。
【００５９】
また、この実施の形態２によれば、画像端の方向に目標分布をずらせば上記効果が得られるが、特に０．５画素分だけ画像端の方向ずらすことにより効果が顕著になる。さらに、１〜２画素のずれであれば、上記効果が十分得られるとともに、重畳部分の明るさの分布が十分に平滑される。
【００６０】
実施の形態３．
図７はこの発明の実施の形態３によるディスプレイ装置の構成を示すブロック図である。図において、２１はスクリーン５に投影された画像を撮影し、その画像の明るさを測定するカメラ（測定手段）であり、２２はカメラ２１により測定された重畳部分の明るさに基づいて、スクリーン５に投影された大画像の各部の明るさが均一になるように平滑装置２における電気的補正特性を制御する制御手段である。なお、図７におけるその他の構成要素については実施の形態１によるものと同様であるので、その説明を省略する。
【００６１】
次に動作について説明する。
この実施の形態３によるディスプレイ装置では、カメラ２１がスクリーン５に投影された大画像８を撮影して重畳部分の明るさを測定し、制御手段２２に通知する。制御手段２２はその重畳部分の明るさに基づいて、平滑装置２において各画像７Ａ，７Ｂの重畳部分に対する電気的補正特性を制御して、スクリーン５に投影された大画像の各部の明るさが均一になるようにする。
【００６２】
なお、その他の動作については実施の形態１によるものと同様であるので、その説明を省略する。また、実施の形態２によるディスプレイ装置に、カメラ２１および制御手段２２を追加するようにしてもよい。
【００６３】
以上のように、この実施の形態３によれば、スクリーンに投影された画像の明るさを測定し、測定した重畳部分の明るさに基づいて、スクリーンに投影された大画像の各部の明るさが均一になるように平滑装置２を制御するようにしたので、自動的に重畳部分の明るさを調整することができ、平滑装置２の電気的補正特性を調整する手間を省くことができるという効果が得られる。
【００６４】
なお、上記実施の形態では、大画像を構成する画像の数が２であるが、３以上でも勿論よい。その場合、画像の数と同数の投影器などを設ける。
【００６５】
【発明の効果】
以上のように、この発明によれば、隣接する画像との重畳部分の明るさを所定の滑らかな分布で光学的に減衰させて重畳部分の明るさを平滑するとともに、各画像に対応する各画像信号のうちの、隣接する画像との重畳部分の明るさを電気的に微調整するようにしたので、重畳部分の明るさの分布を正確に目標分布に合わせることができるという効果がある。
【００６７】
この発明によれば、光学的調整手段として、所定の滑らかな分布の透過率を有するテープを使用したので、配置を簡単に調整することができるとともに、スクリーンのサイズや位置などの変更に応じて透過率の分布を変更したい場合にテープを交換すればよく、簡単に装置の設定変更を実行することができるという効果がある。また、同一のテープを複数作成して裏返して隣接する画像に使用するテープのいずれかとして使用することで、透過率分布が互いに反転した関係にあるテープを精度良く簡単に作成することができるとともに、量産にも向くという効果がある。
【００６８】
この発明によれば、光学的調整手段として、所定の滑らかな分布の透過率で染料を表面に印刷した、または内部に分散したレンズを使用したので、従来の製造技術に基づいて簡単かつ安価で所望の透過率分布の光学的調整手段を実現することができるという効果がある。
【００６９】
この発明によれば、光学的調整手段としてのテープが、透過率の分布の異なる複数の部分を有するので、透明な部分を設ければ個々の画像の明るさの調整を簡単に実行することができ、異なる滑らかな分布の部分を設ければ、スクリーンのサイズや位置などの変更に応じて透過率の分布を簡単に変更することができるという効果がある。
【００７０】
この発明によれば、光学的調整手段を光路上において可動としたので、透過率分布と重畳部分との位置関係を簡単に調整することができるという効果がある。
【図面の簡単な説明】
【図１】  この発明の実施の形態１によるディスプレイ装置の構成を示すブロック図である。
【図２】  図１におけるテープの詳細な構成を示す斜視図である。
【図３】  実施の形態１によるディスプレイ装置での、重畳部分における２つの画像および大画像の明るさの分布の一例を示す図である。
【図４】  図３に示す重畳部分における大画像の明るさの分布の１次微分値（１／１０画素間隔の１次差分値）および２次微分値（１／１０画素間隔の２次差分値）の分布を示す図である。
【図５】  画素の出力分布、平滑装置による電気的調整分布、光学系調整手段による光学的調整分布および目標分布の関係を示す図である。
【図６】  実施の形態２によるディスプレイ装置での、重畳部分における２つの画像および大画像の明るさの分布の一例を示す図である。
【図７】  この発明の実施の形態３によるディスプレイ装置の構成を示すブロック図である。
【図８】  従来のディスプレイ装置を示すブロック図である。
【図９】  重畳部分の明るさの目標分布と平滑装置による電気的補正分布との関係を示す図である。
【図１０】  隣接する２つの画像が１画素ずれて重畳した場合の大画像の明るさの分布を示す図である。
【図１１】  隣接する２つの画像が０．５画素ずれて重畳した場合の大画像の明るさの分布を示す図である。
【図１２】  他の従来のディスプレイ装置を示す図である。
【図１３】  隣接する２つの画像が１画素ずれて重畳した場合の大画像の明るさの分布を示す図である。
【符号の説明】
２  平滑装置（電気的調整手段）、３Ａ，３Ｂ  投影器、４Ａ，４Ｂ  フレネルレンズ（光学的調整手段）、５  スクリーン、６Ａ，６Ｂ  テープ（光学的調整手段）、７Ａ，７Ｂ  画像、８  大画像、１２  リール、２１  カメラ（測定手段）、２２  制御手段。
【図１】
0003706001.tif 000003
【図２】
0003706001.tif 000004
【図３】
0003706001.tif 000005
【図４】
0003706001.tif 000006
【図５】
0003706001.tif 000007
【図６】
0003706001.tif 000008
【図７】
0003706001.tif 000009
【図８】
0003706001.tif 000010
【図９】
0003706001.tif 000011
【図１０】
0003706001.tif 000012
【図１１】
0003706001.tif 000013
【図１２】
0003706001.tif 000014
【図１３】
0003706001.tif 000015